(57)【要約】【課題】可撓性をより高め、回転したときに面振れ方向の変動をより迅速に収束して安定化して記録再生を安定して行う。【解決手段】記録膜を有するフイルム状の記録媒体２と光入射面を形成するフイルム状の光入射媒体３とをハブ４と外周リング５により一定間隔に隔てて接合した中空部６を形成し、記録媒体２と光入射媒体３との間の中空部６と外部とを連通部７で連通し、周辺環境に気圧の変化が生じても、記録媒体２と光入射媒体３に形状変化が生じることを防ぐとともに可撓性記録ディスク１を高速回転しても、記録媒体２と光入射媒体３の間の中空部６に有する空気に加えられる遠心力によって生じる中空構造内の気圧分布も連通部７を介して調整して記録媒体２と光入射媒体３に変形が生じることを防ぐ。【選択図】    図２
2006252680.tif 000002
【特許請求の範囲】
【請求項１】
記録膜を有するフイルム状の記録媒体と光入射面を形成するフイルム状の光入射媒体とを内周側支持体と外周側支持体により一定間隔に隔てて接合した中空構造を有し、前記記録媒体と光入射媒体との間の中空部と外部とを連結する連通部を有することを特徴とする可撓性記録ディスク。
【請求項２】
前記記録媒体と光入射媒体との剛性が同一である請求項１記載の可撓性記録ディスク。
【請求項３】
前記記録媒体と光入射媒体の外周部を保持する外周側支持体を弾性部材で形成した請求項１又は２記載の可撓性記録ディスク。
【請求項４】
前記連通部を内周側支持体と外周側支持体の、記録媒体と光入射媒体との接合部に設けた請求項１乃至３のいずれかに記載の可撓性記録ディスク。
【請求項５】
前記光入射媒体は、光の透過方向に屈折率分布を有する請求項１乃至４のいずれかに記載の可撓性記録ディスク。
【請求項６】
記録膜を有するフイルム状の記録媒体と光入射面を形成するフイルム状の光入射媒体とを内周側支持体と外周側支持体により一定間隔に隔てて接合した中空構造を有する可撓性記録ディスクの製造方法であって、
前記記録媒体と光入射媒体の、内周側支持体と外周側支持体との接合部の一部に未接着領域を設けて、記録媒体と光入射媒体との間の中空部と外部とを連結する連通部を形成したことを特徴とする可撓性記録ディスクの製造方法。
【発明の詳細な説明】
【技術分野】
【０００１】
この発明は、可撓性を有する記録ディスクとその製造方法、特に、可撓性をより高めて高速で回転して記録又は再生をするときの安定性をより向上させることに関するものである。
【背景技術】
【０００２】
光ディスクそのものを剛体で形成せずに可撓性を持たせ、情報を記録再生するときに情報記録面と反対側に安定化部材を設け、回転させたときに情報記録面に記録再生用の光ビームを集光する対物レンズと光ディスクをはさんで対向する安定化部材により空気力学的に光ディスクを浮上させて安定化して回転している光ディスクの面触れ（チルト）を低減する可撓性を有する光ディスクが、例えば特許文献１や特許文献２あるいは特許文献３に開示されている。
【０００３】
この可撓性を有する光ディスクで可撓性を高めれば、光ディスクを回転したときにより安定化する。しかしながら光ディスク自体に有る程度の剛性を持たせる必要があり、例えば特許文献１に示すように、記録領域が形成されているディスク内周部より記録領域が形成されていないディスク外周部の厚さを厚くして光ディスク自体の剛性を高めているため、光ディスクの可撓性をより高めることは困難であった。
【特許文献１】特開平６−２２３４０７号公報
【特許文献２】特開２００１−１０１６９８号公報
【特許文献３】特開２００３−９１８８６号公報
【発明の開示】
【発明が解決しようとする課題】
【０００４】
この発明は、このような短所を改善し、可撓性をより高めると共に周辺環境の変動等に対し柔軟に対応できる可撓性記録ディスクとその製造方法を提供することを目的とするものである。
【課題を解決するための手段】
【０００５】
この発明の可撓性記録ディスクは、記録膜を有するフイルム状の記録媒体と光入射面を形成するフイルム状の光入射媒体とを内周側支持体と外周側支持体により一定間隔に隔てて接合した中空構造を有し、前記記録媒体と光入射媒体との間の中空部と外部とを連結する連通部を有することを特徴とする。
【０００６】
前記記録媒体と光入射媒体との剛性が同一であることが望ましい。また、記録媒体と光入射媒体の外周部を保持する外周側支持体を弾性部材で形成すると良い。
【０００７】
さらに、連通部を内周側支持体と外周側支持体の、記録媒体と光入射媒体との接合部に設けると良い。
【０００８】
また、光入射媒体は、光の透過方向に屈折率分布を有することが望ましい。
【０００９】
この発明の可撓性記録ディスクの製造方法は、記録膜を有するフイルム状の記録媒体と光入射面を形成するフイルム状の光入射媒体とを内周側支持体と外周側支持体により一定間隔に隔てて接合した中空構造を有する可撓性記録ディスクの製造方法であって、記録媒体と光入射媒体の、内周側支持体と外周側支持体との接合部の一部に未接着領域を設けて、記録媒体と光入射媒体との間の中空部と外部とを連結する連通部を形成したことを特徴とする。
【発明の効果】
【００１０】
この発明は、記録膜を有するフイルム状の記録媒体と光入射面を形成するフイルム状の光入射媒体とを内周側支持体と外周側支持体により一定間隔に隔てて接合した中空構造にして可撓性記録ディスクを形成したから、可撓性記録ディスクの可撓性をより高めることができ、可撓性記録ディスクを回転したときに面振れ方向の変動をより迅速に収束して安定化することができ、安定して記録再生を行うことができる。
【００１１】
また、記録媒体と光入射媒体との剛性が同一にすることにより、安定して可撓性を付与することができる。
【００１２】
さらに、記録媒体と光入射媒体の外周部を保持する外周側支持体を弾性部材で形成することにより、より可撓性を高めることができ、可撓性記録ディスクを回転したときに面振れ方向の変動をより迅速に収束して安定化することがでる。
【００１３】
また、記録媒体と光入射媒体との間の中空部と外部とを連結する連通部を設けることにより、周辺環境に気圧の変化が生じても、記録媒体と光入射媒体に形状変化が生じることを防ぐことができる。また、可撓性記録ディスクを高速回転しても、記録媒体と光入射媒体の間の中空部に有する空気に加えられる遠心力によって生じる中空構造内の気圧分布も連通部を介して調整することができ、記録媒体と光入射媒体に変形が生じることを防ぐことができる。
【００１４】
この連通部を記録媒体と光入射媒体の内周側支持体と外周側支持体との接合部の一部に未接着領域を設けて形成することにより、連通部を有する可撓性記録ディスクを容易に作製することができる。
【発明を実施するための最良の形態】
【００１５】
図１はこの発明の可撓性記録ディスクの構成を示す断面図である。図に示すように、可撓性記録ディスク１は、単フイルム型可撓性記録ディスクと同様に記録膜を有するフイルム状の記録媒体２と、フイルム状で光入射面を形成する光入射媒体３とを有し、記録媒体２と光入射媒体３は内周側支持体であるハブ４と外周側支持体である外周リング５により所定間隔をもって配置されている。記録媒体２と光入射媒体３は、例えばポリカーボネイト樹脂フイルムで形成され、ハブ４も例えばポリカーボネイト樹脂で形成され、外周リング５は弾性部材、例えばシリコンゴムにより形成されている。そして厚さが0.08ｍｍの記録媒体２と0.08ｍｍの光入射媒体３を厚さが0.45ｍｍのハブ４と外周リング５に可撓性の高い紫外線硬化樹脂で接合して、厚さがほぼ0.6ｍｍの可撓性記録ディスク１を構成している。
【００１６】
このように可撓性記録ディスク１のフイルム状の記録媒体２とフイルム状の光入射媒体３の外周部を弾性部材で形成された外周リング５で保持するから、可撓性記録ディスク１自体の可撓性をより高めることができる。また、記録媒体２と光入射媒体３の厚さを例えば0.08ｍｍと同一にして剛性を同じにすることにより、可撓性記録ディスク１に安定して可撓性を与えることができる。
【００１７】
この可撓性記録ディスク１の記録媒体２と光入射媒体３のハブ４と外周リング５の接合部には、図２（ａ）の部分断面図に示すように、記録媒体２と光入射媒体３の間の中空部６と外部とを連結する連通部７を有する。連通部７は、図２（ｂ）のハブ４の接合領域を示す平面図と図２（ｃ）の外周リング５の接合領域を示す平面図に示すように、記録媒体２と光入射媒体３とをハブ４に接合した接着領域８の中間にそれぞれ例えば１個所設けた未接着領域９と、記録媒体２と光入射媒体３とを接合した接着領域８の中間にそれぞれ例えば４個所設けた未接着領域９で形成している。この連通部７の大きさは、幅が例えば３ｍｍで高さは接着剤の厚さにより決定され例えば10μｍである。
【００１８】
このように可撓性記録ディスク１に、記録媒体２と光入射媒体３との間の中空部６と外部とを連結する連通部７を設けた理由について説明する。
【００１９】
例えば図３に示すように、記録媒体２と光入射媒体３の内周面の全面がハブ４に接着領域８で接合され、外周面の全面が外周リング５に接着領域８で接合され、記録媒体２と光入射媒体３の間の中空部分が完全に密封された可撓性記録ディスク１ａは、周辺環境の気圧変化や高速回転による中空構造内の気圧分布によって形状変化が生じてしまう。
【００２０】
すなわち、記録媒体２と光入射媒体３とを完全に密封した中空構造の可撓性記録ディスク１ａは、定常状態でスピンドル１０に保持された場合は、図４（ａ）に示すように、記録媒体２と光入射媒体３はほぼ平行になっているが、周辺環境の気圧が変化すると、その気圧変動に伴い可撓性記録ディスク１ａ全体が凸状に変形したりあるいは凹状に変形する。例えば周辺環境の気圧が低下すると、記録媒体２と光入射媒体３の間の密閉空間との内圧と低下した気圧との差圧により記録媒体２と光入射媒体３は、図４（ｂ）に示すように凸状に変形する。逆に、周辺環境の気圧が高くなると、記録媒体２と光入射媒体３は、図４（ｃ）に示すように凹状に変形する。また、例えば毎分１万回転前後の高速回転になると、記録媒体２と光入射媒体３の間の密閉空間内で遠心力により圧力分布が生じ、光ディスク１ａの外周側が部分的に凸状に変形する現象が確認された。これらの気圧変化に影響されないように記録媒体と光入射媒体に剛性を持たせると、光ディスクの柔軟性が損なわれ、本来の機能である可撓性が失われてしまう。
【００２１】
これに対して記録媒体２と光入射媒体３のハブ４との接合領域と外周リング５との接合領域に中空部６と外部とを連結する連通部７を設けた可撓性記録ディスク１は、記録媒体２と光入射媒体３の間の中空部６を密封構造にしないから、周辺環境に気圧の変化が生じても、その気圧の変化に応じて中空部６内の空気も圧力が変化して、記録媒体２と光入射媒体３に形状変化が生じることを防ぐことができ、常に安定した形状を維持することができる。
【００２２】
この可撓性記録ディスク１を記録再生装置に載置すると、図５（ａ）に示すように、スピンドル１０が停止している状態では、可撓性によって湾曲した状態にある。この状態からスピンドル１０を回転させ、可撓性記録ディスク１を高速回転させながら、図５（ｂ）に示すように、光学ヘッド１１と対向する反対側に安定化部材１２を接近させると、可撓性記録ディスク１と安定化部材１２の間に空気力学的な力が作用し、可撓性記録ディスク１の面振れ方向の変動が収束して安定化する。このとき可撓性記録ディスク１は、フイルム状の記録媒体２とフイルム状の光入射媒体３の外周部を弾性部材で形成された外周リング５で保持して可撓性をより高めているから、面振れ方向の変動をより迅速に収束して安定化することができ、安定して記録再生を行うことができる。
【００２３】
また、可撓性記録ディスク１を高速回転しても、記録媒体２と光入射媒体３の間の中空部６に有する空気に加えられる遠心力によって生じる中空構造内の気圧分布も連通部９を介して調整され、記録媒体２と光入射媒体３に変形が生じることを防ぐことができ、記録再生を安定して行うことができる。
【００２４】
この回転している可撓性記録ディスク１の安定した状態は、硬質の記録ディスクを使用していたシステムと何ら変わることがない状態であり、この安定状態は空気力学的な作用により得られているため、可撓性記録ディスク１の回転が高速になればなるほど安定度を増すことができる。これは硬質の記録ディスクを用いたシステムにはない現象であり、より高速記録が求められる記録システムには最適であるといえる。
【００２５】
前記説明では光入射媒体３を例えばポリカーボネイト樹脂フイルムで形成した場合について説明したが、図６の部分断面図に示すように、光入射媒体３をポリカーボネイト樹脂フイルムからなる高屈折率層３１と、高屈折率層３１より屈折率が小さい低屈折率層３２を高屈折率層３１の光入射側に設けると良い。この屈折率が小さい低屈折率層３２は無機膜と有機膜のいずれでも良い。このように光入射媒体３に高屈折率層３１と低屈折率層３２を設けて屈折率の分布を与えることにより、光学ヘッド１１との距離を拡大する機能を与えることができる。この機能は、光学ヘッド１１の対物レンズ１３の焦点距離を伸ばす効果があり、可撓性記録ディスク１と光学ヘッド１１の距離を遠ざけることができ、両者間に生じる いわゆるヘッドクラッシュの危険性を低減できる。
【００２６】
この低屈折率層３２を無機膜で形成する場合、例えば光入射媒体３の高屈折率層３１を、屈折率が1.59のポリカーボネイト樹脂で形成し、形成した高屈折率層３１の光入射側にスパッタリングによりＳｉＯ２膜を例えば膜厚0.1μｍで成膜して低屈折率層３２を形成する。このスパッタリングにより形成されたＳｉＯ２膜の屈折率は1.20であり、この低屈折率層３２を設けることにより、低屈折率層３２を設けない場合と比べて可撓性記録ディスク１と光学ヘッド１１の距離を拡大することができた。
【００２７】
また、スパッタリング等による低屈折率膜の形成が何らかの理由により困難な場合には有機膜により低複屈折膜を形成すれば良い。例えばポリカーボネイト樹脂で形成した高屈折率層３１の光入射側に紫外線硬化樹脂を光入射側に塗布して例えば膜厚10μｍの低屈折率層３２を形成した。この紫外線硬化樹脂はアクリル系の樹脂であり、屈折率は1.48〜1.50であるから、高屈折率層３１より屈折率を小さくすることができ、可撓性記録ディスク１と光学ヘッド１１の距離を拡大することができた。
【図面の簡単な説明】
【００２８】
【図１】この発明の可撓性記録ディスクの構成を示す断面図である。
【図２】記録媒体と光入射媒体の間の中空部と外部とを連結する連通部の構成図である。
【図３】密封された中空構造を有する可撓性光ディスクの構成図である。
【図４】密封された中空構造を有する可撓性光ディスクの変形状態を示す模式図である。
【図５】可撓性記録ディスクの静止している状態と回転している状態を示す断面図である。
【図６】低屈折率の第２層を設けた光入射媒体を有する可撓性記録ディスクの断面図である。
【符号の説明】
【００２９】
１；可撓性記録ディスク、２；記録媒体、３；光入射媒体、４；ハブ、
５；外周リング、６；中空部、７；連通部、８；接着領域、９；未接着領域、
１０；スピンドル、１１；光学ヘッド、１２；安定化部材、１３；対物レンズ、
３１；高屈折率層、３２；低屈折率層。
【図１】
2006252680.tif 000003
【図２】
2006252680.tif 000004
【図３】
2006252680.tif 000005
【図４】
2006252680.tif 000006
【図５】
2006252680.tif 000007
【図６】
2006252680.tif 000008